(57)【特許請求の範囲】
【請求項１】
電源用電池と、
上記電源用電池の電圧を昇圧してコンデンサへ電荷を充電し、この電荷でキセノン放電管の発光制御を行うストロボ回路と、
カメラ本体に加わる水圧を検知する水圧検知手段と、
上記水圧検知手段の出力から所定以上の水圧を検出すると、上記ストロボ回路に上記キセノン放電管の発光を行わせて上記コンデンサの電荷を放電した後、上記ストロボ回路の充電動作を禁止するとともにレリーズスイッチの受付を禁止して撮影が出来ないようにする手段と、
を具備することを特徴とするカメラ。
【請求項２】
電源用電池と、
上記電源用電池の電圧を昇圧してコンデンサへ電荷を充電し、この電荷でキセノン放電管の発光制御を行うストロボ回路と、
カメラ本体に加わる水圧を検知する水圧検知手段と、
上記水圧検知手段が所定のレベル１の水圧を検知すると上記ストロボ回路に上記キセノン放電管を小発光させることで警告動作を行い、上記水圧検知手段が上記レベル１より大きいレベル２の水圧を検知すると上記ストロボ回路に上記キセノン放電管をフル発光させることで上記コンデンサの電荷を放電し、このフル発光後は上記ストロボ回路の充電動作を禁止するとともにレリーズスイッチの受付を禁止して撮影が出来ないようにする手段と、
を具備することを特徴とするカメラ。
【発明の詳細な説明】
【０００１】
【発明の属する技術分野】
本発明は、水中においてカメラを破壊から防ぎ、撮影者の安全を確保するカメラに関するものである。
【０００２】
【従来の技術】
カメラのような携帯用の機器は持ち運んでいるうちに海や川に落としたり、また水中での使用が可能であるものは水圧によって外装が変形し、破損したりして機器内部が浸水する場合がある。このような浸水が起こった場合、カメラ内部の電気回路が破壊される可能性がある。
【０００３】
図１１（ａ）はカメラの一般的な外観を示す図であり、図１１（ｂ）はカメラの断面部の構成を示す図である。カメラ２の前面には、撮影レンズ１２０が設けられている。この撮影レンズ１２０は撮影時のピント合わせ動作により繰り出し量を変化させるものであり、浸水が起こりうる部位であるため、水中対応可能なものはその前面をパネル１２２で覆っている。
【０００４】
その他、カメラの外装部材には、表示用の液晶を覗くための窓１２４やストロボ用のパネル部９０が設けられている。これらの窓１２４やパネル部９０の継ぎ目からは、外装カバ−の継ぎ目１２６と同様に、浸水が起こりうる。また、レリ−ズスイッチ１２８、モード切替えスイッチ１３０も可動部材なので、浸水が起こりうる部位である。
【０００５】
また、カメラ２内には図１１（ｂ）に示すように、フィルムや撮像素子などの像記憶手段１３２、電気回路１２用の基板や電池２２、メカ部材１３４などが配置されている。これらのうち、水によってダメージを受けやすいのは電気回路１２の部分である。
【０００６】
すなわち、図１１に示すようなカメラにおいて、図１１（ｂ）の矢印のように水圧がかかると、カメラ２内部には部品の隙間などに通常空気が満たされているため、その部分が変形し、外装の継ぎ目やスイッチ等の可動部から浸水が起こりうる。カメラ２の内部が浸水すると、電気回路１２は水中のイオン成分により思わぬ部品間が短絡して、かかってはならない所に電圧がかかってしまい、回路が壊れて正しく制御されなくなり、思わぬ事故につながるおそれがある。特に高電圧をかけてキセノン放電管を発光させるストロボ回路等の高電圧は、周囲の回路を破壊するおそれがある。
【０００７】
こうした事故を回避する技術としては、特開平３−２３９２３３号公報に記載されているように二つの導体間に水が侵入したとき警告を出したり、特開平３−１９６１３０号公報に記載されているように熱伝導率の高い結露部材を内蔵し、電気回路に結露をおこりにくくする技術が知られている。
【０００８】
【発明が解決しようとする課題】
しかしながら、上記特開平３−２３９２３３号公報に記載された技術は、表面張力を利用して耐水圧限界を警告するものであり、浸水時の安全対策については述べられていない。さらに、穴の中に水が入るかどうかで水圧を検出するため、一度この穴に水が入ってしまうとその水を取り出すのが困難であり、耐水圧限界を越えない深さに戻っても警告を出しつづけ、警告が意味をなさないものとなってしまう。
【０００９】
また、上記特開平３−１９６１３０号公報に記載された技術は、水中での浸水対策ではなく防水仕様のカメラの結露問題に関する対策であり、大量の水がカメラ内に入り込んだときのことは考慮されていない。
【００１０】
そこで、本発明は、上記問題点に鑑みてなされたものであり、防水機能のないカメラの水没時や耐水圧限界以上に深い水中にて水中カメラが使用されたときに、カメラ内の浸水によって起こりうる電気回路の破壊を防止するカメラを提供することを目的とする。
【００１１】
【課題を解決するための手段】
上記目的を達成するために、本発明のカメラは、電源用電池と、上記電源用電池の電圧を昇圧してコンデンサへ電荷を充電し、この電荷でキセノン放電管の発光制御を行うストロボ回路と、カメラ本体に加わる水圧を検知する水圧検知手段と、上記水圧検知手段の出力から所定以上の水圧を検出すると、上記ストロボ回路に上記キセノン放電管の発光を行わせて上記コンデンサの電荷を放電した後、上記ストロボ回路の充電動作を禁止するとともにレリーズスイッチの受付を禁止して撮影が出来ないようにする手段と、を具備することを特徴とする。
【００１２】
また、本発明のカメラは、電源用電池と、上記電源用電池の電圧を昇圧してコンデンサへ電荷を充電し、この電荷でキセノン放電管の発光制御を行うストロボ回路と、カメラ本体に加わる水圧を検知する水圧検知手段と、上記水圧検知手段が所定のレベル１の水圧を検知すると上記ストロボ回路に上記キセノン放電管を小発光させることで警告動作を行い、上記水圧検知手段が上記レベル１より大きいレベル２の水圧を検知すると上記ストロボ回路に上記キセノン放電管をフル発光させることで上記コンデンサの電荷を放電し、このフル発光後は上記ストロボ回路の充電動作を禁止するとともにレリーズスイッチの受付を禁止して撮影が出来ないようにする手段と、を具備することを特徴とする。
【００１４】
また、本発明のカメラは、電源用電池と、放電発光管を有するストロボ発光回路と、このストロボ発光回路の動作に必要な電圧を上記電源用電池の電圧から作り出す昇圧回路と、カメラ本体に加わる水圧を検知する水圧検知手段と、この水圧検知手段の出力を判定する判定手段と、上記判定手段の判定結果に基づいて、上記ストロボ発光回路の発光を制御する制御手段とを具備することを特徴とする。
【００１５】
【発明の実施の形態】
まず、本発明の理解を容易にするために、本発明に係るカメラの概念について説明する。
【００１６】
図１は、本発明に係るカメラの概念的な構成を示すブロック図である。
【００１７】
カメラ２に設けられた、水圧を検知する水圧検知部４は放電及び通電禁止指示する連動制御部６に接続される。さらに、この連動制御部６は、放電を行う放電部８と通電禁止を行う通電禁止部１０とを並列に介して、昇圧回路等を有する電気回路１２に接続される。
【００１８】
このように構成されたカメラにおいては、カメラ２の外周部に設けられた水圧検知部４が所定の水圧より大きな水圧を検知すると、検知信号を連動制御部６に送信する。この検知信号を受け取った連動制御部６は、放電部８により高電圧状態の電気回路１２に蓄積された電荷を放電させ、さらに通電禁止部１０により電気回路１２が再度昇圧動作を行うことを禁止させる。
【００１９】
これにより、電気回路への不用意な高電圧印加によるダメージを、カメラ内部が浸水する前に未然に防止することができる。
【００２０】
次に、本発明に係る第１の実施の形態のカメラについて説明する。
【００２１】
図２は、第１の実施の形態のカメラの構成を示す図である。
【００２２】
カメラ２内のストロボ回路２０では、電池２２の電源電圧をトランス等からなる昇圧回路２４を用いて３００［Ｖ］付近にまで昇圧し、このエネルギをコンデンサ２６に蓄える。キセノン放電管（以下、Ｘｅ管と記す）２８は、トリガ回路３０にて高電圧がかけられてガラス管（放電管）内のガスがイオン化されることにより、上記コンデンサ２６に蓄えられた電荷を放電させて発光を行う。
【００２３】
スイッチ部３２はＩＧＢＴやサイリスタなどからなり、コンデンサ２６とＸｅ管２８の間の放電経路を接続／遮断制御する。この制御により、Ｘｅ管２８の発光形式を切替えることができる。
【００２４】
このように電池２２の電池電圧はストロボ回路２０の昇圧、放電動作のために安定しておらず、不安定である。そこで、上記電池２２の電池電圧は、電源安定化用のコンデンサ３４を含むフィルタ回路３６により電圧を安定化された後、ワンチップマイコン等からなる演算制御回路（以下、ＣＰＵと記す）３８に入力される。
【００２５】
このＣＰＵ３８はカメラ全体のシ−ケンスを制御するものであり、レリ−ズスイッチ４０やモ−ド切替えスイッチ４２の操作状態に従って、測距部４４や測光部４６を動作させる。さらに、ＣＰＵ３８はこれら測距部４４や測光部４６によって得られた被写体情報に基づいて、シャッタ等からなる撮影部４８やピント合せ部５０を制御し、撮影シ−ケンスやストロボの充電、発光シ−ケンスを実行させる。さらに、ＣＰＵ３８はアナログ／ディジタル（Ａ／Ｄ）変換器等からなる充電検出部５２の出力をモニタしながら、ストロボ回路２０の充電動作を制御する。
【００２６】
また、このカメラが水中に存在するときには、水圧を検出する圧力スイッチ（ＳＷ）５４の出力にしたがって、ＣＰＵ３８は禁止部５６を制御し、ストロボ回路２０内の昇圧回路２４の昇圧動作を実行または禁止させる。上記圧力スイッチ５４としては、例えば図３（ａ），（ｂ）に示す、次のようなものが知られている。この圧力スイッチ５４は、２つの電極６０，６２の間に微小な空洞部を有するゴム状の弾性体６４が挟持されたものであり、この弾性体６４のなかには導電性のボ−ル６６が散在されている。
【００２７】
このような圧力スイッチ５４では、図３（ａ）に示したように圧力が電極６０，６２間を圧縮するようにかかっていないときには、各導電性のボール６６は互いに離れているので、電極間の抵抗をテスタ６８で計ると高抵抗値を示す。しかし、図３（ｂ）に示したように圧力が電極間を圧縮するようにかかると、各導性のボール６６が接近し接触抵抗が小さくなるので、テスタ６８は低抵抗値を示す。
【００２８】
そこで、この圧力スイッチ５４を、図３（ｃ）に示すように、カメラ２の外装の接続部７０に配置すると、水圧がかかったときは水圧がかからないときに比べて電極６０，６２間の抵抗値が小さくなる。この抵抗値を検出することにより、圧力スイッチ５４を水圧センサとして利用することができる。ここで、カメラ２の外装の隙間に配置されたゴム製のパッキン７２、すなわち、Ｏリングは水圧がかかると外装の隙間で圧縮され、外装に密着するため防水効果を発揮する。
【００２９】
上記昇圧回路２４としては、図４に示すようにトランス７４に発振動作するトランジスタ７６，７８、ダイオード８０、抵抗８２，８４等からなる回路が知られている。禁止部５６は、この発振回路を構成するトランジスタ７８にベース電流を流さないようにするスイッチ手段、例えば、トランジスタ８６などで構成すればよい。昇圧回路の動作を禁止するときには、ＣＰＵ３８がトランジスタ８６をオンするように制御すればよい。
【００３０】
次に、図５に示すフローチャートを用いて、第１の実施の形態のカメラの動作について説明する。
【００３１】
まず、ＣＰＵ３８は圧力スイッチ５４が所定の圧力以上の水圧を検知したか否かを判定する（ステップＳ１）。所定の圧力以上の水圧を検知したときは、ストロボ用のコンデンサ２６の充電電圧がＸｅ管２８の発光可能電圧に達しているか否か、すなわち、コンデンサ２６の充電が完了したか否かを判定する（ステップＳ２）。充電が完了していないときは、ＣＰＵ３８は昇圧回路２４によりコンデンサ２６を充電させる（ステップＳ６）。
【００３２】
そして、充電が完了したとき、すなわち、発光可能電圧になったとき、ＣＰＵ３８はＸｅ管２８を所定の発光パターンで発光させ（ステップＳ３）、撮影者に耐水圧限界に近いことを認知させると共に、ストロボ回路２０などの高電圧回路の高電圧をディスチャージする。
【００３３】
次に、上記発光が終了すると、通常の動作フローにおいては再充電が行われるが、ここでは禁止部５６を働かせ、再充電を行わないようにする（ステップＳ４）。さらに、電気回路の誤動作を防止するために、レリーズ釦（レリーズスイッチ４０）の受け付けを禁止してレリーズロック状態にし（ステップＳ５）、本動作を終了する。このような浸水の可能性のある状況下で電気回路を不用意に動作させると、想定した回路だけでなく、流れてはならない部分にまで電流が流れて、熱を発生したりして事故につながるおそれがあるからである。
【００３４】
また、上記ステップＳ１にて圧力スイッチ５４が所定の圧力以上の水圧を検知していないときは、ＣＰＵ３８は次のような通常の撮影シーケンスを行う。ＣＰＵ３８はカメラを作動状態にするメインスイッチ（モード切替えスイッチ１６に含まれる）がオンしているか否かを判定する（ステップＳ１０）。メインスイッチがオンしていないときは、上記ステップＳ１へ戻り、ステップＳ１以降の処理を繰り返す。一方、メインスイッチがオンしているときは、昇圧回路２４によりストロボ用のコンデンサ２６の充電を行う（ステップＳ１１）。
【００３５】
次に、ＣＰＵ３８はレリ−ズ釦（レリーズスイッチ４０）がオンしたか否かを判定する（ステップＳ１２）。レリ−ズ釦がオンしていないときは、上記ステップＳ１へ戻り、ステップＳ１以降の処理を繰り返す。レリ−ズ釦がオンしているときは、ＣＰＵ３８は測光部４６により測光を実行させて被写体の明るさを求める（ステップＳ１３）。さらに、測距部４４により測距を実行させて、被写体の距離情報を求める（ステップＳ１４）。続いて、ＣＰＵ３８は求めた上記距離情報をもとにピント合せ距離を算出し、ピント合せ部５０を制御して撮影部４８内の撮影レンズのピント合せを行う（ステップＳ１５）。
【００３６】
続いて、ＣＰＵ３８は測光結果やフィルムの感度情報より、撮影時のストロボ発光が必要か否かを判定する（ステップＳ１６）。ストロボ発光を必要としないときは、そのまま撮影を実行させ（ステップＳ１７）、上記ステップＳ１へ戻り、ステップＳ１以降の処理を繰り返す。一方、ストロボ発光を必要とするとき、すなわち、ストロボ発光を伴う撮影を実行するときは、被写体が人間である場合に網膜からの反射光が記録され人間の目が赤く写ってしまう、いわゆる赤目現象を防ぐため、ここでは小刻みなプリ発光を行い（ステップＳ１８）、被写体の瞳孔を小さくしてから本発光及び撮影を実行させる（ステップＳ１９）。その後、本動作を終了して、上記ステップＳ１へ戻り、ステップＳ１以降の処理を繰り返す。
【００３７】
図６（ａ）に上記ステップＳ１８，Ｓ１９におけるストロボ発光が必要なときのプリ発光と撮影時の様子を、図６（ｂ）にステップＳ３における水圧検知時の警告用ストロボ発光の様子を比較して示す。図６（ａ）に示す撮影時には１０［μｓｅｃ］の発光を数回繰り返し（プリ発光）、被写体である人間の瞳孔縮動を待って（１０［ｍｓｅｃ］）、本発光を行う。この本発光では、発光時間が距離や背景の明るさを加味して制御される。
【００３８】
一方、図６（ｂ）に示す水圧検出時には１０［μｓｅｃ］の小発光を二回、そしてストロボ用のコンデンサ２６のエネルギをすべて使いきるためにフル発光を一回、一秒おきの制御で行う。なお、最初から一回だけのフル発光を行っても良いが、これではただ故障しただけに思われる可能性があるので、ＣＰＵ３８が正しく制御していることを示すために、このような発光パターンとした。この発光パターンは変更可能だが、最後はフル発光しないとコンデンサ２６に蓄積された電荷が抜けきれなくなってしまう。
【００３９】
以上説明したように本第１の実施の形態によれば、撮影者が気づかないうちに耐水圧限界より深い水深まで水中カメラを持っていき、カメラを壊してしまうことを防ぐことができる。
【００４０】
次に、本発明に係る第２の実施の形態のカメラについて説明する。
【００４１】
この第２の実施の形態のカメラの構成は、上記第１の実施の形態において、ＣＰＵの動作制御のみが異なり、その他の構成については第１の実施の形態と同様であるため、ここに編入するものとしその説明は省略する。
【００４２】
図７に示すフローチャートを用いて、第２の実施の形態のカメラの動作について説明する。この第２の実施の形態では、ステップＳ２１，Ｓ２２にて水圧レベルを三段階に検出できるようにしたものであり、構成的には図２に示した圧力スイッチ５４の出力レベルをＣＰＵ３８により三段階に判定できるようにする。
【００４３】
まず、ＣＰＵ３８は、圧力スイッチ５４により検知された水圧レベルがレベル１に達したか否かを判定する（ステップＳ２１）。水圧レベルがレベル１に達していないときは、図５に示したフローチャート中のステップＳ１０へ移行し、上記第１の実施の形態と同様にステップＳ１０〜ステップＳ１９にて通常の撮影シーケンスを行う。
【００４４】
一方、上記ステップＳ２１にて水圧レベルがレベル１に達しているときは、さらにＣＰＵ３８は圧力スイッチ５４により検知された水圧レベルがレベル２に達したか否かを判定する（ステップＳ２２）。水圧レベルがレベル２に達していないとき、すなわち、水圧レベルがレベル１より大きくレベル２より小さいときは、昇圧回路２４によりストロボ用のコンデンサ２６の充電を行う（ステップＳ２７）。そして、ストロボ小発光による警告動作を行い、危険水深が近いことを撮影者に認知させる（ステップＳ２８）。その後、上記ステップＳ１へ戻り、ステップＳ１以降の処理を繰り返す。
【００４５】
また、上記ステップＳ２２にて、圧力スイッチ５４により検知された水圧レベルがレベル２に達しているときは、ＣＰＵ３８は危険水深に達したと判断する。そして、昇圧回路２４によりストロボ用のコンデンサ２６の充電を行う（ステップＳ２３）。続いて、ストロボ回路２０に蓄えていたエネルギをフル発光により消費する（ステップＳ２４）。
【００４６】
次に、上記発光が終了すると、通常の動作フローにおいては再充電が行われるが、ここでは禁止部５６を働かせ、再充電は行わないようにする（ステップＳ２５）。さらに、電気回路の誤動作を防止するために、レリーズ釦（レリーズスイッチ４０）の受け付けを禁止し、レリーズロック状態にして撮影ができないようにする（ステップＳ２６）。このような浸水の可能性のある状況下で電気回路を不用意に動作させると、想定した回路だけでなく、流れてはならない部分にまで電流が流れて、熱を発生したりして誤動作や事故につながるおそれがあるからである。その後、本動作を終了する。
【００４７】
なお、上記フローチャート中ではステップＳ２２を処理してから充電を行い警告動作を行っているが、これに限るわけではなく、ステップＳ２１をＹＥＳに分岐した時点で充電，警告動作を行っても良い。このようなストロボ小発光による警告動作が始まったとき、図８に示すように撮影者がレベル１の水深より浅い水深へ浮上すれば、また水中撮影が続けられる。
【００４８】
以上説明したように本第２の実施の形態によれば、危険水深であることを警告する発光パターンを切り替えたので、撮影者が危険水深になる前に浮上することにより、安全かつ確実な水中写真撮影を楽しむことができる。
【００４９】
次に、本発明に係る第３の実施の形態のカメラについて説明する。
【００５０】
上記第１，２の実施の形態では、専ら電気回路の制御によって各禁止動作を制御してきたが、実際にカメラ内が浸水してしまうと電気回路間の導通が始まり、正しい動作が行われるかどうかが保証できなくなる。そこで、この第３の実施の形態では機械的に回路動作を禁止して安全性を高めている。
【００５１】
図９（ａ）は第３の実施の形態のカメラの構成を示す当該カメラの断面図であり、図９（ｂ）はその一部を拡大したものである。
【００５２】
カメラ２の外装部に設けられたストロボ光を投射するためのパネル部９０の奥には、Ｘｅ管２８とストロボ用の反射傘２８ａが配置されている。また、この外装部には強度の異なる弾性体９２，９４が設けられており、水圧がかかると、この弾性体９２，９４は変形してカメラ内部に押し込まれるようになっている。
【００５３】
まず、弾性体９２が変形すると、ストロボ用のコンデンサ２６の両端の電極に、高耐圧のセメント抵抗９６の各電極が連動部材９８によって押し付けられる。すると、コンデンサ２６に蓄えられていた電荷のディスチャージ及び充電禁止が行われる。これによって、最も危険な高電圧が対策される。
【００５４】
さらに、水深が深くなり水圧が増加すると、弾性体９４が変形して連動部材１００を動かし、くさび型部材１０２を電池２２の電極と電気回路に設けられた電池用接点１０４の間に食い込ませる。これによって、電気的な導通をエネルギ供給源である電池２２からはばみ、電気回路の動作を停止させることにより、想定した回路だけでなく、流れてはならない部分にまで電流が流れて、熱を発生したりして誤動作や事故が起こるのを対策している。
【００５５】
なお、一度所定レベル以上の水圧がかかるとカメラ内部が浸水している可能性が高いので、水圧がかからなくなっても、くさび型部材１０２は電池２２と電池用接点１０４の間に食い込んだままにする。これにより、カメラ内部に水をためたまま電気回路が再起動して、感電や発熱などにより事故が発生しないようにする。
【００５６】
また、電気回路を壁面１０８などで囲って水から隔離するようにすれば、さらに効果的である。また、図１０（ａ），（ｂ）に示すように、回路基板１１０の上から防水作用のあるシリコン樹脂１１２などを被せて、電気回路を構成する部品に水が接触することがないように密閉してもよい。
【００５７】
以上説明したように本第３の実施の形態によれば、カメラ内部の浸水時における電気回路の短絡等により、信頼性が失われる電気回路の動作及びエネルギ供給を機械的に禁止したので、より安全かつ故障しにくい耐水性のあるカメラを簡単な構成にて提供できる。
【００５８】
上述したように上記実施の形態によれば、防水機能のない機器の水没時や耐水圧限界以上に深い水中での機器が使用されたとき、機器内への浸水によって発生する電子回路の破壊等を最小限に抑えることができる。
【００５９】
以下詳述した如き本発明の実施態様によれば、以下の如き構成を得ることができる。
【００６０】
（１）  電源用電池と、
この電源用電池から供給される電源により電気的に制御される電気回路と、
カメラ本体が水没したことを検知する水没検知手段と、
この水没検知手段の検出結果に基づいて、上記電源用電池から上記電気回路への電源供給を禁止する禁止手段と、
を具備することを特徴とするカメラ。
【００６１】
（２）  電源用電池と、
電気回路と、
この電気回路の動作に必要な電圧を上記電源用電池の電圧から作り出す昇圧回路と、
カメラホ本体に加わる水圧を検知する水圧検知手段と、
この水圧検知手段の出力を判定する判定手段と、
この判定手段の判定結果に基づいて、上記昇圧回路の動作を禁止する禁止手段と、
を具備することを特徴とするカメラ。
【００６２】
（３）  上記電気回路は、放電発光管を有するストロボ発光回路であり、上記判定手段の判定結果に基づいて、該ストロボ発光回路の発光を制御するものであることを特徴とする上記（２）に記載のカメラ。
【００６３】
（４）  電源用電池と、
この電源用電池の電圧を昇圧して充電される充電手段と、
カメラ本体に加わる水圧を検知する水圧検知手段と、
この水圧検知手段の出力を判定する判定手段と、
この判定手段の出力結果に基づいて、上記充電手段に充電された電圧を放電する放電手段と、
を具備することを特徴とするカメラ。
【００６４】
（５）  上記充電手段は、ストロボ発光回路におけるメインコンデンサであることを特徴とする上記（４）に記載のカメラ。
【００６５】
（６）  電源用電池と、
この電源用電池の電圧を昇圧する昇圧手段と、
この昇圧手段により昇圧された電圧が充電される充電手段と、
カメラ本体に加わる水圧を検知する水圧検知手段と、
この水圧検知手段の出力を判定する判定手段と、
この判定手段の出力結果に基づいて、上記昇圧手段の動作を禁止する禁止手段と、
上記判定手段の出力結果に基づいて、上記充電手段に充電された電圧を放電する放電手段と、
を具備することを特徴とするカメラ。
【００６６】
【発明の効果】
以上述べたように本発明によれば、防水機能のないカメラの水没時や耐水圧限界以上に深い水中にて水中カメラが使用されときに、カメラ内の浸水によって起こりうる電気回路の破壊等を防止するカメラを提供することができる。
【図面の簡単な説明】
【図１】本発明に係るカメラの概念的な構成を示すブロック図である。
【図２】第１，２の実施の形態のカメラの構成を示す図である。
【図３】圧力スイッチの構成を示す図である。
【図４】昇圧回路の構成を示す回路図である。
【図５】第１の実施の形態のカメラの動作を示すフローチャートである。
【図６】ストロボ発光が必要なときのプリ発光及び撮影時の様子と、水圧検知時の警告用ストロボ発光の様子を示す図である。
【図７】第２の実施の形態のカメラの動作を示すフローチャートである。
【図８】第２の実施の形態のカメラの動作を説明するための図である。
【図９】第３の実施の形態のカメラの構成を示す図である。
【図１０】電気回路をシリコン樹脂にて被い、防水する一例を示す図である。
【図１１】カメラの一般的な構成を示す図である。
【符号の説明】
２  カメラ
４  水圧検知部
６  連動制御部
８  放電部
１０  通電禁止部
１２  電気回路
２０  ストロボ回路
２２  電池
２４  昇圧回路
２６  コンデンサ
２８  キセノン放電管（Ｘｅ管）
３０  トリガ回路
３２  スイッチ部
３４  コンデンサ
３６  フィルタ回路
３８  演算制御回路（ＣＰＵ）
４０  レリ−ズスイッチ
４２  モ−ド切替えスイッチ
４４  測距部
４６  測光部
４８  撮影部
５０  ピント合せ部
５２  充電検出部
５４  圧力スイッチ（ＳＷ）
５６  禁止部
６０，６２  電極
６４  弾性体
６６  ボ−ル
６８  テスタ
７０  外装の接続部
７２  パッキン
【図１】
0003670376.tif 000002
【図２】
0003670376.tif 000003
【図３】
0003670376.tif 000004
【図４】
0003670376.tif 000005
【図５】
0003670376.tif 000006
【図６】
0003670376.tif 000007
【図７】
0003670376.tif 000008
【図８】
0003670376.tif 000009
【図９】
0003670376.tif 000010
【図１０】
0003670376.tif 000011
【図１１】
0003670376.tif 000012